(57)【要約】      （修正有）【課題】おはぎや大福といった、外的力によって型崩れし易い塊状の生又は半生の和菓子を、１個や２個といった少数であっても見栄えよく包装することができるとともに、和菓子のズレ動きを防止することができる包装用トレイを提供する。【解決手段】外的力によって型崩れし易い塊状の生又は半生の和菓子Ｗの包装に使用される包装用トレイ１であって、トレイ本体２の和菓子載置面３に、和菓子Ｗの外形状より僅かに小さい外形状を呈する凹陥部４を１つ又は複数設ける。【選択図】図１
0003190594.tif 000002
【実用新案登録請求の範囲】
【請求項１】
外的力によって型崩れし易い塊状の生又は半生の和菓子の包装に使用される包装用トレイであって、
トレイ本体の和菓子載置面に、前記和菓子の外形状より僅かに小さい外形状を呈する凹陥部が１つ又は複数設けられたことを特徴とする包装用トレイ。
【請求項２】
請求項１に記載の包装用トレイにおいて、
前記凹陥部の外周縁部に、前記和菓子載置面より上方に突出するリブが設けられたことを特徴とする包装用トレイ。
【請求項３】
請求項１又は２に記載の包装用トレイにおいて、
前記トレイ本体の裏面には、前記和菓子載置面の裏側部分の周囲に、該裏側部分の膨出高さよりも高い脚部が設けられたことを特徴とする包装用トレイ。
【請求項４】
請求項１から３のいずれか一つに記載の包装用トレイにおいて、
前記凹陥部は円形とされ、その深さ寸法が該円の直径の５〜１０％に設定されたことを特徴とする包装用トレイ。
【考案の詳細な説明】
【技術分野】
【０００１】
本考案は、例えば、おはぎや大福といった、外的力によって型崩れし易い塊状の生又は半生の和菓子の包装に使用される包装用トレイに関する。
【背景技術】
【０００２】
和菓子には様々なものがあるが、中でもおはぎや大福は値段も手頃であり、日ごろのおやつとして多くの人々に馴染み深い和菓子であることから、和菓子の専門店に限らずスーパーマーケット等の量販店やコンビニエンスストアの店頭でも広く販売されている。
【０００３】
和菓子の専門店では、例えば、おはぎは、４個詰や６個詰といった形で木製又は紙製の折箱に包装されて販売されているが、量販店やコンビニエンスストア等では、透明な蓋の付いた合成樹脂製の包装用トレイに１個又は２個程度が包装されて陳列されていることが多い。このような包装形態の相違は、消費者の購入目的が贈答用であるか自家用であるかの違いによるものといえる。特に、後者の場合、最近増加している一人住まいの消費者に対応するために増えつつある包装形態でもある。
【０００４】
そのような包装形態に適するものとして、従来は、例えば、特許文献１に見られるような、寿司や刺身の包装に使用される包装容器がそのままおはぎ等の包装に流用されているのが実情である。
【先行技術文献】
【特許文献】
【０００５】
【特許文献１】特開２００１−２１３４２０公報
【考案の概要】
【考案が解決しようとする課題】
【０００６】
ところが、上記従来の包装容器は、あくまで寿司や刺身を包装するためのものであることから、例えば、おはぎの１個や２個程度を包装するにしては容積が大き過ぎるため、そのような包装容器におはぎを１個又は２個入れた場合、包装容器内においておはぎの周囲に大きな隙間が生じてしまい、その隙間の存在によって肝心の商品であるおはぎのボリューム感が損なわれ、見栄えが悪いといった不都合があった。
【０００７】
また、そのような包装容器のほとんどは、食品の載置面が平滑面とされていることとも相俟って、包装容器の中でおはぎがズレ動き易くなっていることから、店頭での陳列作業時や店からの持ち帰り時等におはぎが不測にズレ動いて型崩れしてしまい、商品価値を損ねてしまうといった問題もあった。
【０００８】
さらに、上述したように上記従来の包装容器では食品の載置面が平滑面とされているため、おはぎを包装する際におはぎの載置位置が定めにくく、その結果、おはぎが包装容器内にバランスよく配置されず、店頭陳列時の見栄えが悪くなるといった不都合もあった。
【０００９】
本考案は、係る点に鑑みて創案されたものであり、その目的とするところは、おはぎや大福といった、外的力によって型崩れし易い塊状の生又は半生の和菓子を、１個や２個といった少数であっても見栄えよく包装することができるとともに、和菓子のズレ動きを防止することができる包装用トレイを提供することを目的とする。
【課題を解決するための手段】
【００１０】
上記した目的を達成するため、本考案に係る包装用トレイは、外的力によって型崩れし易い塊状の生又は半生の和菓子の包装に使用される包装用トレイであって、トレイ本体の和菓子載置面に、前記和菓子の外形状より僅かに小さい外形状を呈する凹陥部が１つ又は複数設けられたことを特徴とするものである。
【００１１】
ここで、外的力によって型崩れし易い塊状の生又は半生の和菓子とは、例えば、おはぎや大福等、概ね丸められた形状を呈し、指で僅かな力を加えただけでも容易に変形するものをいい、また、生の和菓子とは、でき上がり直後の水分含量が３０％前後から７０％程度を越えるものを、半生の和菓子とは２０〜３５％程度のものをいう。
【００１２】
上記したような構成の包装用トレイによれば、和菓子が、それよりも外形状が僅かに小さい凹陥部に嵌まり込むため、トレイ本体の和菓子載置面上でズレ動くようなことがない。また、包装時、凹陥部に和菓子を置くだけでトレイ上の和菓子の位置が確定することから、凹陥部の位置を和菓子載置面上の好ましい位置に形成しておくだけで、誰でも簡単に見栄えのよい包装（盛り付け）をすることができる。さらに、凹陥部は、その外形状が和菓子の外形状よりも小さく設定されているため、包装時に凹陥部が和菓子に隠れて見えなくなる。したがって、凹陥部が目立つことがなく、包装の見栄えを損ねる虞がない。
【００１３】
上記包装用トレイにあっては、凹陥部の外周縁部に、和菓子載置面より上方に突出するリブが設けられていてもよい。
【００１４】
この場合、リブが和菓子の底面の周囲に係合するため、和菓子を凹陥部内に確実に留めることができる。したがって、店頭での陳列作業時や店からの持ち帰り時等におはぎが不測にズレ動いて型崩れしてしまうといった虞をなくすことができる。
【００１５】
また、トレイ本体の裏面において、和菓子載置面の裏側部分の周囲に、該裏側部分の膨出高さよりも高い脚部が設けられていてもよい。
【００１６】
この場合、和菓子載置面が例えば陳列棚の面上に直接接することがなくなり、脚部によってトレイ本体を支持することができるため、安定した陳列を行うことができる。
【００１７】
上記包装用トレイにおいては、凹陥部は円形とされ、その深さ寸法が該円の直径の５〜１０％に設定されているとよい。
【００１８】
このように、凹陥部の深さ寸法をその直径の５％以上とすることで、和菓子のズレ動きを十分に阻止することができ、１０％以下とすることで、和菓子の底部が凹陥部の表面に追従することに起因する型崩れを防止することができる。
【考案の効果】
【００１９】
本考案によれば、おはぎや大福といった、外的力によって型崩れし易い塊状の生又は半生の和菓子を、１個や２個といった少数であっても見栄えよく包装することができるとともに、和菓子のズレ動きを防止することができる包装用トレイを提供することができる。
【図面の簡単な説明】
【００２０】
【図１】本考案に係る包装用トレイの一実施形態を示す斜視図である。
【図２】図１に示す包装用トレイの平面図である。
【図３】図１に示す包装用トレイの中央横断面図である。
【図４】図１に示す包装用トレイにおはぎを包装した状態を示す中央横断面図であり、蓋を二点差線で示している。
【図５】本考案に係る包装用トレイの他の実施形態を示す斜視図である。
【図６】図５に示す包装用トレイの平面図である。
【図７】図５に示す包装用トレイの中央横断面図である。
【図８】図５に示す包装用トレイにおはぎを包装した状態を示す中央横断面図であり、蓋を二点差線で示している。
【考案を実施するための形態】
【００２１】
以下、本考案に係る包装用トレイの一実施形態について、図面を参照して説明する。
【００２２】
図１は、本考案に係る包装用トレイの一実施形態を示す斜視図、図２は、図１に示す包装用トレイの平面図、図３は、図１に示す包装用トレイの中央横断面図、図４は、図１に示す包装用トレイにおはぎを包装した状態を示す中央横断面図である。
【００２３】
なお、以下においては、和菓子としておはぎを例に挙げているが、これに限らず、概ね丸められた形状を呈し、指で僅かな力を加えただけでも容易に変形するような、所謂、外的力によって型崩れし易い塊状の生又は半生の和菓子であればよい。
【００２４】
包装用トレイ１は、図１乃至図４に示すように、平面視正方形状の包装用トレイ２の和菓子載置面３に、和菓子Ｗの外形状より僅かに小さい外形状を呈する１つの円形の凹陥部４が、和菓子載置面３の中心に位置するよう設けられたものである。
【００２５】
この包装用トレイ１の材料としては、例えば、ポリスチレン系発泡シートが好適に用いられる。ポリスチレン系発泡シートは、市場ではポリスチレンペーパー（ＰＳＰ）と呼ばれているものであり、ポリスチレン系樹脂と核剤、膨張剤の溶融混練物をシート状に押出成形し、冷却して得られるものである。このポリスチレン系発泡シートの発泡倍率及び厚みは、この種のトレイに好適な値が適宜選択、採用される。上記ポリスチレン系樹脂としては、スチレンのホモポリマー、スチレン・メチルメタクリレート共重合体、スチレン・αメチルスチレン共重合体、スチレン・アクリロニトリル共重合体、スチレン・アクリル酸共重合体、スチレン・無水マレイン酸共重合体、あるいはこれら２種以上の混合したものが利用できる。なお、包装用トレイ１の材料は上記したようなＰＳＰに限らず、他の合成樹脂製材料であってもよく、また、成形した板紙や積層紙の表面に樹脂加工を施したものであってもよい。要は、食品の包装に適し、且つ、成形性に優れていれば、特に限定されるものではない。
【００２６】
上記凹陥部４は、図３及び図４に示すように、底部が円形の平滑面４１とされ、この平滑面４１の周囲から凹陥部４の外周縁部にかけては緩やかな曲面４２とされている。また、このようになる凹陥部４の周囲（前記縁部）には、和菓子載置面３より上方に突出する環状のリブ５が設けられている。このリブ５の頂面は、図３及び図４に示すように、断面円弧状に形成されている。
【００２７】
このように和菓子載置面３に凹陥部４が設けられるとともに、凹陥部４の外周縁部にその全周に亘ってリブ５が設けられていることにより、図４に示すように、和菓子Ｗが、それよりも外形状が僅かに小さい凹陥部４に嵌まり込むこととなり、包装用トレイ２の和菓子載置面３上でズレ動くようなことがないと同時に、リブ５が和菓子Ｗの底面の周囲に係合するため、和菓子Ｗを凹陥部４内に確実に留めることが可能となる。したがって、店頭での陳列作業時や店からの持ち帰り時等に和菓子Ｗが不測にズレ動いて型崩れしてしまうといった虞をなくすことができる。また、包装時、凹陥部４に和菓子Ｗを置くだけでトレイ本体２上の和菓子Ｗの位置が確定することから、本実施形態では凹陥部４の位置が和菓子載置面３の中心にあるため、誰でも和菓子Ｗを包装用トレイ２の中心に盛り付けをすることができる。したがって、包装後の見栄えがよくなる。さらに、凹陥部４は、その外形状が和菓子Ｗの外形状よりも小さく設定されているため、図４に示すように、包装時に凹陥部４が和菓子Ｗに隠れて見えなくなる。したがって、凹陥部４が目立つことがなく、包装の見栄えを損ねる虞がない。
【００２８】
なお、上記リブ５は、凹陥部４の外周縁部の全周に亘って設けられているが、これに限らず、例えば、複数の円弧状のリブを相互に間隔を隔てて凹陥部４を囲むように設けられてもよい。また、このようなリブ５を設けることなく、凹陥部４だけが和菓子載置面３上に設けられていてもよい。さらに、リブ５の頂面の形状は、上記したような断面円弧状でなくてもよく、例えば、断面方形状や断面三角形状であってもよい。また、凹陥部４の形状は円形に限らず、和菓子Ｗの外形状に対応した形とすればよい。
【００２９】
また、上記包装用トレイ２の裏面には、和菓子載置面３の裏側部分の周囲に、４ヶ所に亘って、該裏側部分の膨出高さよりも高い脚部６が設けられている。これにより、和菓子載置面３が、例えば陳列棚の面上に直接接することがなくなり、脚部６によって包装用トレイ２を支持することができるため、安定した陳列を行うことができる。
【００３０】
さらに、上記包装用トレイ２の周辺には、蓋Ｌ（図１及び図４参照）の外周縁部の嵌合部Ｌ１と嵌合される外周壁部７が形成されている。ここで、和菓子Ｗの視認性を高めるうえからは、外周壁部７と和菓子載置面３とのレベル差が小さい方が好ましい。このため、本実施形態では、凹陥部４が形成される部位３１を他の部位３２よりも一段高く設定するとともに、包装用トレイ２の外周壁部７の上縁部７１を４辺の各中程において凹ませている。
【００３１】
なお、上記の蓋Ｌとしては、例えば、二軸延伸ポリスチレンシートが好適に用いられる。この二軸延伸ポリスチレンシートは、ポリスチレン樹脂を縦横二方向に延伸し、シート状にした素材であり、高い透明性、剛性、食品安全性を有することから、弁当容器や惣菜容器の蓋として広く使用されているものである。
【００３２】
本実施形態に係る包装用トレイ１においては、凹陥部４は円形とされ、その深さ寸法が該円の直径の５〜１０％に設定されている。具体的には、凹陥部４の直径φ（図３参照）が４５〜５５ｍｍ、深さ寸法ｄが３〜４ｍｍとされている。このように、凹陥部４の深さ寸法をその直径の５％以上とすることで、和菓子Ｗのズレ動きを十分に阻止することができ、１０％以下とすることで、和菓子Ｗの底部が凹陥部４の表面に追従することに起因する型崩れを防止することができる。なお、上記以外の部位の具体的な寸法は、凹陥部４の曲面４２の曲率半径が３５〜４５ｍｍ、凹陥部４の底部の平滑面４１の直径が２５〜３５ｍｍ、リブ５の幅寸法ａが４〜５ｍｍ、リブ５の高さ寸法ｈが１〜２ｍｍ、リブ５の頂面の曲率半径が２〜４ｍｍ、とされている。これらの具体的な寸法はあくまでも一例に過ぎず、包装する和菓子Ｗの大きさによって適宜変更すればよい。
【００３３】
以上、１個の和菓子Ｗを包装する例についての実施形態を説明したが、包装する和菓子Ｗの個数は複数個であってもよい。図５乃至図８は、２個の和菓子Ｗを包装する場合の実施形態を示している。
【００３４】
図５は、本考案に係る包装用トレイの他の実施形態を示す斜視図、図６は、図５に示す包装用トレイの平面図、図７は、図５に示す包装用トレイの中央横断面図、図８は、図５に示す包装用トレイにおはぎを包装した状態を示す中央横断面図である。
【００３５】
なお、本実施形態においては、上記の実施形態との相違点について主に説明し、同様の構成については図面において同一符号を付してその説明を省略する。
【００３６】
包装用トレイ１は、図５乃至図８に示すように、平面視長方形状の包装用トレイ２の和菓子載置面３に、和菓子Ｗの外形状より僅かに小さい外形状を呈する２つの円形の凹陥部４が設けられたものである。これら２つの凹陥部４は、包装用トレイ２の短手方向中央部に、包装用トレイ２の長手方向に沿って列設されている。凹陥部４同士の間隔は、図８に示すように、和菓子Ｗ同士が接することなく、両者Ｗ間に適当な間隔があくような寸法とされる。
【００３７】
この実施形態では、２個の和菓子Ｗを包装する例について説明したが、包装する和菓子Ｗの個数はこれに限らず３個以上であってもよい。その場合も、和菓子Ｗがトレイ本体上でバランスよく配置されるよう凹陥部４の位置が決定される。
【産業上の利用可能性】
【００３８】
本考案は、おはぎや大福といった、外的力によって型崩れし易い塊状の生又は半生の和菓子の包装に利用できる。
【符号の説明】
【００３９】
１  包装用トレイ
２  トレイ本体
３  和菓子載置面
４  凹陥部
５  リブ
６  脚部
【図１】
0003190594.tif 000003
【図２】
0003190594.tif 000004
【図３】
0003190594.tif 000005
【図４】
0003190594.tif 000006
【図５】
0003190594.tif 000007
【図６】
0003190594.tif 000008
【図７】
0003190594.tif 000009
【図８】
0003190594.tif 000010